(57)【要約】【課題】吊り荷の板厚や板巾に対応して安定的に吊り上げることができるハッカーを提供すること。【解決手段】ハッカー１は、左右二箇所で吊り下げられ、その長さ方向に伸縮可能なビーム２と、ビーム２の両端部に下に向けて夫々設けられ、夫々に吊り荷を搭載する爪４が設けられた一対のアーム７とを有している。ビーム２は、スリーブ１２と、スリーブ１２内を摺動するロッド１１と、スリーブ１２内におけるロッド１１の位置を決定する螺子軸１４と、スリーブ１２若しくはロッド１１のいずれかがビーム２の長さ方向に伸縮する伸縮バネ１９を介して螺子軸１４に連結されている。【選択図】  図１
2020083619.tif 000002
【特許請求の範囲】
【請求項１】
左右二箇所で吊り下げられ、その長さ方向に伸縮可能なビームと、
前記ビームの両端部に下に向けて夫々設けられ、夫々に吊り荷を搭載する爪が設けられた一対のアームとを有し、
前記ビームは、スリーブと、当該スリーブ内を摺動するロッドと、スリーブ内におけるロッドの位置を決定する螺子軸と、前記スリーブ若しくは前記ロッドのいずれかが前記ビームの長さ方向に伸縮する伸縮バネを介して前記螺子軸に連結されていることを特徴とするハッカー。
【請求項２】
請求項１のハッカーにおいて、前記ビームを前後に設け、その間を連結バーで接続したことを特徴とするハッカー。
【発明の詳細な説明】
【技術分野】
【０００１】
本発明は、鉄板等の吊り荷を吊り上げるハッカーに関する。
【背景技術】
【０００２】
従来、鉄板等の吊り上げ運搬や、大径短管の吊り上げに使用される吊り具としては、Ｃ字形状の吊り金具（ハッカー）が用いられる。吊り荷の両端（短管）若しくは四点（プレート材）にハッカーの爪を引っ掛け、ハッカーの上端にクレーンからの吊索を連結して吊り上げ、又は吊り降ろす。
【０００３】
特許文献１によれば、鉄板を吊り上げるハッカーが知られている。このハッカーは、電磁石などの吸着体を敷き鉄板に配置して吸着させるものであるが、これにパンタグラフ式アームの補助支持機構が組合されている。補助支持機構のアームは通常は弾性体（コイルバネ）により拡開した状態であるが、吊り荷の鉄板が地面から持ち上げられたとき、アームは外方に拡開した状態から内方にすぼまり、係合部を吊り荷の縁部に自動的に引掛ける。
【先行技術文献】
【特許文献】
【０００４】
【特許文献１】特開平８−１８８３７１号公報
【発明の開示】
【発明が解決しようとする課題】
【０００５】
ハッカーは、その形状および吊り荷の板厚および板巾などによりハッカーと板との接触点並びに爪と吊り方向がなす角度が変化する。そのため転倒モーメントも変化し外れやすさを招くことがある。吊り荷の板厚が大きくなれば、吊り荷の側面がハッカーの爪の上側に当たり、爪に角度が付くと吊り荷との接触点は、爪の先端側に移り、ハッカーの爪に対する引っ掛かりに影響を及ぼす。
【０００６】
本発明は前記のような問題点を解消することを目的とし、吊り荷の板厚や板巾に対応して安定的に吊り上げることができるハッカーを提供することにある。
【課題を解決するための手段】
【０００７】
上記目的を達成するため本発明のハッカーは、左右二箇所で吊り下げられ、その長さ方向に伸縮可能なビームと、
前記ビームの両端部に下に向けて夫々設けられ、夫々に吊り荷を搭載する爪が設けられた一対のアームとを有し、
前記ビームは、スリーブと、当該スリーブ内を摺動するロッドと、スリーブ内におけるロッドの位置を決定する螺子軸と、前記スリーブ若しくは前記ロッドのいずれかが前記ビームの長さ方向に伸縮する伸縮バネを介して前記螺子軸に連結されていることを特徴とする。
【発明の効果】
【０００８】
本発明のハッカーによれば、ビームを水平に吊り下げることにより、どのようなつり荷の板厚および板巾に対しても爪と吊り荷の接触角度を一定にすることができる。また、ビームは、その長さ方向に伸縮可能であるため、爪の間隔が調整でき、吊り荷の板巾の多様性に対応する。螺子軸とスリーブは、螺子軸方向に伸縮する伸縮バネにより連結されており、伸縮バネはビームが吊索により吊り下げられたときに圧縮され、アーム同士の間隔を狭めることができる
【図面の簡単な説明】
【０００９】
【図１】本実施例によるハッカーを示す図であり、図１Ａは平面図、図１Ｂは一部側面図、図１Ｃは正面図である。
【図２】ハッカーの内部構造を示す図であり、図２Ａは切断図、図２Ｂは分解図である
【図３】ハッカーの動作を示す図であり、図３Ａは吊り下げ前の状態を示す図、図３Ｂは吊り下げ後の状態を示す図である。
【発明を実施するための最良の形態】
【００１０】
一般的にハッカーは、Ｃ字形状の吊り金具であり、個々の金具がチェーン、ワイヤ等の吊索により吊り下げられるものである。本発明のハッカーにおいては、等長の吊索を使用して左右二箇所で水平にビームを吊り下げることとする。短管吊り下げの場合（二点吊り）にはビームの両端部に夫々アームを鉛直方向に設置し、アームに吊り荷を搭載する爪を設ける。プレート材を吊り下げる四点吊りに対しては、２つのビームを連結バーで接続する。ビーム側に爪と角度が設けられているので、どのようなつり荷の板厚および板巾に対しても爪と吊り荷の接触角度を一定にすることができる。
【００１１】
ビームは、ビームの長さ方向に伸縮可能であるため、爪の間隔が調整でき、吊り荷の板巾の多様性に対応する。ビームはスリーブとスリーブ内を摺動するロッドを有しており、螺子軸はスリーブ内におけるロッドの位置を決定する。螺子軸はスリーブ若しくはロッドのいずれかに、螺子軸方向に伸縮する伸縮バネを介して連結されている。伸縮バネは、ビームが吊索により吊り下げられたときに圧縮され、アーム同士の間隔を狭める。
【００１２】
以下、実施例のハッカーを図面に基いて説明する。図１は、プレート材の吊り下げに用いる四点吊りのハッカー１を示している。図１Ａにおいて、四点吊りの場合にはハッカー１は前後２つのビーム２を左右２つの連結バー３で接続され平面視において枡形になっている（二点吊りの場合には、１つのビーム２による直線状である）。各ビームの両端部には、下に向けて垂直に延びた一対のアーム７が固定されている。各ビーム２は、２つの伸縮部材１０、２０を連結して構成されている。伸縮部材１０、２０は、夫々スリーブ１２、２２とスリーブ１２、２２内をビーム２の長さ方向イに摺動するロッド１１、２１を有している。隣合う伸縮部材１０、２０のスリーブ１２、２２は、環状部材９により互いに一体状に固定されている。
【００１３】
ロッド１１、２１には、吊索に連結する吊り金具１３、２３が設けられている。また、ロッド１１、２１の側面には、吊り荷を押さえるプッシャー５が設けられている。また、アーム７は、ロッド１１、２１の端部に固定されている。アーム７の底部には、吊り荷が搭載される搭載面４ａを有する爪４が設けられており、アーム７の頭部に設けられたレバー６により爪４の向きを水平面内で回転可能である。異なるビーム２の２つのレバー６は、操作管８を介して連動して動作させることができる。
【００１４】
図２は、図１Ｃに表れた正面の伸縮部材１０及びアーム７について一部切断をして内部構成を示している。図２Ａはスリーブ１２とロッド１１の内部構成を示し、図２Ｂはスリーブ１２とロッド１１が分離されている様子を示す。以降、伸縮部材を代表して、伸縮部材１０について説明する。
【００１５】
ロッド１１は、その四側面をスリーブ１２に囲まれて、その中を方向イに摺動することにより、伸縮部材１０全体が撓まないように構成されている。ロッド１１は中空１１ａであり、その中に方向イの螺子軸１４が挿入されている。ロッド１１の中空１１ａの開口位置には、送りナット１５が固定されている。スリーブ１２の上側一部分が、ロッド１１に固定された吊り金具１３をスリーブ１２の外側に出すために、切り欠き１２ｂが設けられている。螺子軸１４は、バネ押さえ１６を介して、方向イに伸縮する伸縮バネ１９を介してスリーブ１２に連結している。実施例においては、伸縮バネ１９の両端は、バネ押さえ１６とスリーブ１２の間に接続されている。螺子軸１４の操作端１８は、スリーブ１２の側壁１２ａを貫通して外側に突出している。シース１７は、伸縮バネ１９の周囲を包んで伸縮バネ１９を維持している。操作端１８を回転させると、その場で螺子軸１４が回転して方向イのスリーブ１２との相対位置関係は変わらない。螺子軸１４は、スリーブ１２との間を伸縮バネ１９で接続されているため、伸縮バネ１９が圧縮を受けると、スリーブ１２の側壁１２ａを通して操作端１８がさらに突出する（図面右側）。圧縮がなくなれば、元に戻る。尚、アーム７は筒状であり、レバー６と爪４とを接続する回転軸７ａを内部に備えている。
【００１６】
図３において、本実施例のハッカー１の動作を説明する。玉掛け作業をする前に、螺子軸１４によりアーム７の間隔を調整しておく。吊り荷Ｗの巾より若干大きく、また爪４の搭載面４ａに吊り荷Ｗが掛かるようにしておく。このときの状態はアーム７同士の間隔が開いた状態である。クレーンから吊索ｓによりハッカー１を吊り下げ、吊り荷Ｗの中心線上に位置するように配置する。爪４を吊り荷の下に配置する。このとき、レバー６を用いて爪４を互いに外側に向くようにしておけば、ハッカー１をクレーンにより降ろす過程で爪４は邪魔にならない。
【００１７】
爪４を吊り荷Ｗの下に配置し、吊り上げを開始する。吊り荷Ｗの荷重により伸縮バネ１９が圧縮されてアーム７同士の間隔が狭まり、爪４は吊り荷Ｗの下にさらに入り込む。吊り荷Ｗの巾と、伸縮バネ１９の長さを調整しておけば、左右方向からも吊り荷Ｗの側壁Ｗｓにアーム７が当接して、機械的に支持され安定する。さらに、プッシャー５により、吊り荷Ｗを上から押さえるように設定しておけば、吊り荷Ｗはさらに安定する。この状態でクレーンを操作して吊り荷Ｗを移動する。
【００１８】
一方、吊り荷Ｗを降ろす際には、吊り荷Ｗが地面に到達すると、吊り荷重が開放されるため、それまで圧縮されていた伸縮バネ１９の復元力により伸縮部材１０、２０が伸張する。これによりアーム７の間隔が広がる。その後、レバー６により爪４の角度を変えるなどして、ハッカー１を移動させる。
【００１９】
本実施例のハッカー１によれば、水平に吊り下げられたビーム２の両端部に夫々アーム７を垂直方向に設置し、アーム７に吊り荷Ｗを搭載する爪４を設けているので、どのような吊り荷Ｗの板厚および板巾に対しても爪４と吊り荷Ｗの接触角度を一定にすることができる。また、ビーム２は、少なくとも方向イに伸縮可能であるため、爪４の間隔が調整でき、吊り荷Ｗの板巾の多様性に対応する。螺子軸１４とスリーブ１２は、方向イに伸縮する伸縮バネ１９により連結されており、伸縮バネ１９はハッカー１が吊索ｓにより吊り下げられたときに圧縮され、アーム７同士の間隔を狭めることができる。隣接する２つの伸縮部材１０、２０でビーム２を構成しているため、スリーブ１２、２２とロッド１１、２１の重なる面積が多くして、撓みを少なくすることができる。
【００２０】
上記実施例においては、２つのビーム２を連結バー３で結合した４点吊りのものを示したが、短管吊りに対しては１つのビーム２のみの２点吊りのハッカーに構成できる。また、上記実施例においては、ロッド１１、２１側にアーム７を取り付けていたが、スリーブ１２、２２側にアーム７を取り付けても良い。上記実施例においては、伸縮バネ１９は螺子軸１４とスリーブ１２の間に設けていたが、螺子軸１４とロッド１１の間（具体的には、送りナット１５とロッド１１との間）に設けても良い。また、スリーブ１２とロッド１１の重なる面積を多くして撓みを少なくするために、隣接する２つの伸縮部材１０、２０でビーム２を構成していたが、ロッド／スリーブ／ロッド若しくは、スリーブ／ロッド／スリーブの順に直列に配置しても良い。
【符号の説明】
【００２１】
１     ハッカー
２     ビーム
３     連結バー
４     爪
４ａ     搭載面
５     プッシャー
６     レバー
７     アーム
７ａ     回転軸
８     操作管
９     環状部材
１０、２０     伸縮部材
１１、２１     ロッド
１２、２２     スリーブ
１３、２３     吊り金具
１４     螺子軸
１５     送りナット
１７     シース
１８     操作端
１９     伸縮バネ
【図１】
2020083619.tif 000003
【図２】
2020083619.tif 000004
【図３】
2020083619.tif 000005
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
前記スリーブ内を摺動するロッドがスリーブの左右に伸縮するビームであって、前記ロッドの夫々に吊索が連結される吊り金具が設けられたビームと、
前記ロッドの夫々から下に向けて延びたアームであって、吊り荷を搭載する爪が設けられたアームとを具備し、
前記左右のロッドは、前記ビームの長さ方向に伸縮する伸縮バネを介して前記スリーブに連結されていることを特徴とするハッカー。
【請求項２】
請求項１のハッカーにおいて、
前記ロッドは中空であって、前記ロッドの中空に挿入されるとともに、前記スリーブを貫通する操作端を有する螺子軸と、前記螺子軸が挿入される中空の開口位置において前記ロッドに固定された送りナットと、前記螺子軸に備えられたバネ押さえを備え、前記伸縮バネはバネ押さえと前記スリーブの間を接続していることを特徴とするハッカー。
【請求項３】
請求項１又は請求項２のいずれかのハッカーにおいて、前記ビームを前後に設け、その間を連結バーで接続したことを特徴とするハッカー。
【手続補正２】
【補正対象書類名】明細書
【補正対象項目名】０００７
【補正方法】変更
【補正の内容】
【０００７】
上記目的を達成するため本発明のハッカーは、スリーブを中心と前記スリーブ内を摺動するロッドが左右に伸縮するビームであって、前記ロッドの夫々に吊索が連結される吊り金具が設けられたビームと、
前記ロッドの夫々から下に向けて延びたアームであって、吊り荷を搭載する爪が設けられたアームとを具備し、
前記左右のロッドは、前記ビームの長さ方向に伸縮する伸縮バネを介して前記スリーブに連結されていることを特徴とする。
【手続補正書】
【提出日】令和1年9月20日(2019.9.20)
【手続補正１】
【補正対象書類名】特許請求の範囲
【補正対象項目名】請求項１
【補正方法】変更
【補正の内容】
【請求項１】
第１のスリーブ内を摺動して左方に進退可能な第１のロッドと、第２のスリーブ内を摺動して右方に進退可能な第２のロッドとからなる左右のロッドを有し、前記左右のロッドの摺動により左右に伸縮可能なビームであって、前記左右のロッドの夫々に吊索が連結される吊り金具が設けられたビームと、
前記ロッドの夫々から下に向けて延びたアームであって、吊り荷を搭載する爪が設けられたアームとを具備し、
前記左右のロッドは、前記ビームの長さ方向に伸縮する伸縮バネを介して前記スリーブに連結されていることを特徴とするハッカー。
【手続補正２】
【補正対象書類名】明細書
【補正対象項目名】０００７
【補正方法】変更
【補正の内容】
【０００７】
上記目的を達成するため本発明のハッカーは、第１のスリーブ内を摺動して左方に進退可能な第１のロッドと、第２のスリーブ内を摺動して右方に進退可能な第２のロッドとからなる左右のロッドを有し、前記左右のロッドの摺動により左右に伸縮可能なビームであって、前記左右のロッドの夫々に吊索が連結される吊り金具が設けられたビームと、
前記ロッドの夫々から下に向けて延びたアームであって、吊り荷を搭載する爪が設けられたアームとを具備し、
前記左右のロッドは、前記ビームの長さ方向に伸縮する伸縮バネを介して前記スリーブに連結されていることを特徴とする。